(57)【要約】【課題】  ホースなどの長尺体を良好に巻き取ることができ、また、巻き取った長尺体を簡単に巻き取り装置から取りはずすこともできる実用性に秀れたホースなどの長尺もの巻取り装置を提供すること。【解決手段】  長尺体１を巻き取る軸となる軸部３が前記巻き取る長尺体１を支承する支承面に対して直交方向に突設された巻き取り支承部２と、前記軸部３を該軸部３の先端が基端より上方になるように前記巻き取り支承部２の支承表面を傾斜状態に支持する支持部８と、前記軸部３に回動自在且つ該軸部３の長さ方向にスライド移動させて嵌脱自在に被嵌するスライド筒４と、前記スライド筒４を回動するハンドル部５とで構成したホースなどの長尺もの巻取り装置。【選択図】      図１
2005350243.tif 000002
【特許請求の範囲】
【請求項１】
ホースなどの長尺体を巻き取る軸となる軸部が前記巻き取る長尺体を支承する支承面に対して直交方向に突設された巻き取り支承部と、前記軸部を水平若しくは該軸部の先端が基端より上方になるように前記巻き取り支承部の支承表面を垂直若しくは傾斜状態に支持する支持部と、前記軸部に回動自在且つ該軸部の長さ方向にスライド移動させて嵌脱自在に被嵌するスライド筒と、前記スライド筒を回動するハンドル部とから成り、前記ハンドル部を回動して前記巻き取り支承部の支承面に前記軸部及び前記スライド筒を軸にしてスライド筒の外周に前記長尺体を巻回し、巻回後、巻回長尺体と共にスライド筒を前記軸部から嵌脱して前記巻き取り支承部から取り外し得るように構成したことを特徴とするホースなどの長尺もの巻取り装置。
【請求項２】
前記スライド筒の外周に巻き取る前記長尺体の巻き取り始端を係止する係止部を、前記ハンドル部若しくは前記スライド筒に設けて前記スライド筒の外周にこのスライド筒と共に回動するように配設したことを特徴とする請求項１記載の長尺もの巻取り装置。
【請求項３】
前記ハンドル部と前記スライド筒とを着脱自在に係止して、このハンドル部を前記軸部に対して回動操作するとスライド筒が一体回動するように構成することを特徴とする請求項１，２のいずれか一項に記載のホースなどの長尺もの巻取り装置。
【請求項４】
前記ハンドル部は、該ハンドル部を回動操作する取手部と、少なくとも前記スライド筒に嵌挿してスライド筒と共に回動する回転軸とで構成され、この回転軸を前記スライド筒から嵌脱して、前記ハンドル部を前記長尺体を巻き取ったスライド筒から取り外し自在となるように構成したことを特徴とする請求項３記載のホースなどの長尺もの巻取り装置。
【請求項５】
前記スライド筒若しくは前記ハンドル部に受け溝を凹設し、この受け溝に挿入して係脱自在に嵌合する突起部を前記ハンドル部若しくは前記スライド筒に設け、この受け溝及び突起部を係合して、スライド筒とハンドル部とを回動係止したことを特徴とする請求項１〜４のいずれか一項に記載のホースなどの長尺もの巻取り装置。
【発明の詳細な説明】
【技術分野】
【０００１】
本発明は、例えば農業用や消雪用の撒水ホース、消防用ホースなどの長尺ものを巻き取るのに使用する、ホースなどの長尺もの巻取り装置に関するものである。
【背景技術】
【０００２】
農家などの一般家庭で、畑の撒水用などに使用されている撒水ホースは、長いものでは５０ｍから１００ｍを越えるようなものがあり、これら長尺ものを巻き取る作業は、作業者にとって非常に大きな負担となっている。
【０００３】
そこで、従来から農業用や消雪用の撒水ホース並びに消火用ホースなどの長尺ものを巻き取る長尺もの巻取り装置が数多く提案されている。
【０００４】
しかし、従来の長尺もの巻取り装置は、巻回した長尺ものの巻き中心が該長尺もの巻取り装置の巻き軸に強く締め付けられる為、この巻回した長尺ものを該長尺もの巻取り装置から取り外す作業が容易ではなく、また、無理に取り外そうとすると巻き取った長尺ものを型崩れさせてしまうという問題があった。
【０００５】
また、装置自体が非常に大掛かりな構造である為に、値段が高く、持ち運びや収納にも適さないなどの問題があり、実用性に乏しかった。
【０００６】
よって、長尺もの巻取り装置は従来から数多く提案されているにもかかわらず、実際に長尺ものを使用する農家などの一般家庭に広く普及するには至っていない。
【０００７】
しかし、上述の通り、非常に長い撒水ホースなどの長尺ものを巻き取る作業は、作業者にとって大きな負担となっている。
【０００８】
従って、上記問題点を解決し得る画期的なホースなどの長尺もの巻取り装置の提案が強く望まれている。
【発明の開示】
【発明が解決しようとする課題】
【０００９】
本発明は、上記の問題点に鑑みて完成したものであって、良好にホースなどの長尺もの巻き取り作業を行うことができ、しかも、巻回した長尺ものを巻取り装置から取り外す作業も極めて容易に行うことができ、更に、簡易構成であるが故にそれだけコスト面に秀れ、軽量化も可能となるなど、極めて作業性及び実用性に秀れた画期的で商品価値の高いホースなどの長尺もの巻取り装置を提供することを課題とする。
【課題を解決するための手段】
【００１０】
添付図面を参照して本発明の要旨を説明する。
【００１１】
ホースなどの長尺体１を巻き取る軸となる軸部３が前記巻き取る長尺体１を支承する支承面に対して直交方向に突設された巻き取り支承部２と、前記軸部３を水平若しくは該軸部３の先端が基端より上方になるように前記巻き取り支承部２の支承表面を垂直若しくは傾斜状態に支持する支持部８と、前記軸部３に回動自在且つ該軸部３の長さ方向にスライド移動させて嵌脱自在に被嵌するスライド筒４と、前記スライド筒４を回動するハンドル部５とから成り、前記ハンドル部５を回動して前記巻き取り支承部２の支承面に前記軸部３及び前記スライド筒４を軸にしてスライド筒４の外周に前記長尺体１を巻回し、巻回後、巻回長尺体１と共にスライド筒４を前記軸部３から嵌脱して前記巻き取り支承部２から取り外し得るように構成したことを特徴とするホースなどの長尺もの巻取り装置に係るものである。
【００１２】
また、前記スライド筒４の外周に巻き取る前記長尺体１の巻き取り始端を係止する係止部10を、前記ハンドル部５若しくは前記スライド筒４に設けて前記スライド筒４の外周にこのスライド筒４と共に回動するように配設したことを特徴とする請求項１記載の長尺もの巻取り装置に係るものである。
【００１３】
また、前記ハンドル部５と前記スライド筒４とを着脱自在に係止して、このハンドル部５を前記軸部３に対して回動操作するとスライド筒４が一体回動するように構成することを特徴とする請求項１，２のいずれか一項に記載のホースなどの長尺もの巻取り装置に係るものである。
【００１４】
また、前記ハンドル部５は、該ハンドル部５を回動操作する取手部12と、少なくとも前記スライド筒４に嵌挿してスライド筒４と共に回動する回転軸６とで構成され、この回転軸６を前記スライド筒４から嵌脱して、前記ハンドル部５を前記長尺体１を巻き取ったスライド筒４から取り外し自在となるように構成したことを特徴とする請求項３記載のホースなどの長尺もの巻取り装置に係るものである。
【００１５】
また、前記スライド筒４若しくは前記ハンドル部５に受け溝９を凹設し、この受け溝９に挿入して係脱自在に嵌合する突起部７を前記ハンドル部５若しくは前記スライド筒４に設け、この受け溝９及び突起部７を係合して、スライド筒４とハンドル部５とを回動係止したことを特徴とする請求項１〜４のいずれか一項に記載のホースなどの長尺もの巻取り装置に係るものである。
【発明の効果】
【００１６】
本発明は、上述のように構成したから、支承部の支承面に支承させながら、長尺体を手動により良好に巻回することができるのはもちろん、巻回し終わった長尺体は、例えば、支承部を前方に傾動させるなどして、スライド筒と共に前記軸部をスライド移動させるだけで極めて簡単に前記支承部から取り外すことができることとなり、取り外し時に巻回長尺体が型崩れしてしまうことを確実に阻止でき、取り外した長尺体は適宜縛るなどして良好に収納できるなど、長尺体の巻き取り作業を良好に行うことができる実用性に秀れた画期的で商品価値の高いホースなどの長尺もの巻取り装置となる。
【００１７】
また、請求項２の発明によれば、前記長尺体の巻き取り始端を前記スライド筒と一体回動させることができ、従って、前記スライド筒の外周に巻き取られた長尺体は確実に該スライド筒と一体回動させることができるから、巻き取り作業時において前記長尺体が回動せずに前記スライド筒だけが空転してしまい、前記長尺体を巻回できないということ確実に阻止することができ、一層良好に前記長尺体を巻き取ることができる。
【００１８】
また、請求項３，４の発明によれば、前記長尺体を巻回する際には、ハンドル部とスライド筒とを係止して、一体回動させ良好に巻き取り作業を行うことができることはもちろん、巻き取った前記長尺体を前記支承部から取り外す際、予めハンドル部だけをスライド筒から脱係し前記支承部から取り外しておくことができるので、その後スライド筒とハンドル部とを前記支承部から取り外す際に、前記ハンドル部が邪魔になり取り外し作業を煩わすことが無く、一層作業性に秀れる。
【００１９】
また、請求項４の発明によれば、取手部を手に取り一層良好にハンドル部の回動操作を行うことができ、一層作業性に秀れる。
【００２０】
また、請求項５の発明によれば、受け溝に突起部を挿入するだけで、簡単にスライド筒とハンドル部とを回動係止できるので作業効率が良く、一層作業性に秀れる。
【発明を実施するための最良の形態】
【００２１】
好適と考える本発明の実施形態を、図面に基づいて本発明の作用を示して簡単に説明する。
【００２２】
ホースなどの長尺体１を巻き取る軸となる軸部３にスライド筒４を回動自在且つ該軸部３の長さ方向にスライド移動させて嵌脱自在に被嵌し、ハンドル部５を回動させ、前記スライド筒４を回動させると共に、前記長尺体１を該スライド筒４の外周に巻回させていくと、この長尺体１は前記軸部３を直交方向に突設する巻き取り支承部２の支承面によって支承されながら巻回されることとなる。
【００２３】
巻回後、該巻回長尺体１を前記スライド筒４ごと前記軸部３の突設方向にスライド移動させると、前記巻回長尺体１と共に該スライド筒４が前記軸部３から嵌脱して前記支承部２から取り外されることとなる。
【００２４】
また、例えば、前記スライド筒４の外周に巻き取る前記長尺体１の巻き取り始端を係止する係止部10を前記ハンドル部５若しくは前記スライド筒４に設けて、前記スライド筒４の外周にこのスライド筒４と共に回動するように配設した場合には、この係止部10に前記長尺体１の巻き取り始端を折り曲げて引っかけるなどして係止し、前記ハンドル部５を回動させると、前記スライド筒４と一体回動する該係止部10に係止された前記長尺体１の巻き取り始端も、前記スライド筒４と一体回動することとなる。
【００２５】
また、例えば、前記ハンドル部５と前記スライド筒４とを着脱自在に係止して、このハンドル部５を前記軸部３に対して回動操作するとスライド筒４が一体回動するように構成した場合には、巻き取り作業時にはハンドル部５とスライド筒４とを係止して巻き取り作業を行い、前記長尺体１を巻回した後は、該ハンドル部５を前記長尺体１を巻き取ったスライド筒４から脱着することもできることとなる。
【００２６】
また、例えば、前記ハンドル部５は、該ハンドル部５を回動操作する取手部12と、少なくとも前記スライド筒４に嵌挿してスライド筒４と共に回動する回転軸６とで構成され、この回転軸６を前記スライド筒４から嵌脱して、該ハンドル部５を前記長尺体１を巻き取ったスライド筒４から取り外し自在となるように構成した場合には、該ハンドル部５の回転軸６を少なくともスライド筒４に嵌挿して、前記取手部12で該ハンドル部５を回動操作して前記長尺体１を巻回し、巻回後、前記ハンドル部５を前記長尺体１を巻き取ったスライド筒４から取り外せることとなる。
【００２７】
また、例えば、前記スライド筒４若しくは前記ハンドル部５に受け溝９を凹設し、この受け溝９に挿入して係脱自在に嵌合する突起部７を前記ハンドル部５若しくは前記スライド筒４に設け、この受け溝９及び突起部７を係合して、スライド筒４とハンドル部５とを回動係止した場合には、ハンドル部５若しくはスライド筒４のどちらか一方に設けた突起部７を、もう一方に設けた受け溝９に係合することで、確実に該ハンドル部５及びスライド筒４が回動係止されることとなる。
【実施例】
【００２８】
本発明の具体的な実施例１について図面に基づいて説明する。
【００２９】
本実施例は、ホースなどの長尺体１を巻き取る軸となる軸部３が前記巻き取る長尺体１を支承する支承面に対して直交方向に突設された巻き取り支承部２と、前記軸部３を該軸部３の先端が基端より上方になるように前記巻き取り支承部２の支承表面を傾斜状態に支持する支持部８と、前記軸部３に回動自在且つ該軸部３の長さ方向にスライド移動させて嵌脱自在に被嵌するスライド筒４と、前記スライド筒４を回動するハンドル部５とから成り、前記ハンドル部５を回動して前記巻き取り支承部２の支承面に前記軸部３及び前記スライド筒４を軸にしてスライド筒４の外周に前記長尺体１を巻回し、巻回後、巻回長尺体１と共にスライド筒４を前記軸部３から嵌脱して前記巻き取り支承部２から取り外し得るように構成したホースなどの長尺もの巻取り装置である。
【００３０】
前記支承部２は、図１に図示するように、金属製の棒筒を曲折して形成したフレーム状のものであって、円環形フレームの内側に略同一平面となるように十字形フレームを嵌め込み、略同一平面を前記支承面としている。
【００３１】
また、前記軸部３は、前記支承部２の支承面の略中心位置に、該支承面と直交方向に突設している。
【００３２】
尚、この支承部２の支承面の傾斜度合いは、作業性を考慮して垂直より約１５°程の傾斜度合いが好ましい。
【００３３】
また、この支承部２を傾斜状態に指示する支持部８は、図１に図示するように金属製の棒筒を曲折して形成したフレーム状のものであって、前記支承部２の支承面と反対側に溶接によって接合されるコ字状フレーム部８ａと、このコ字状フレーム部８ａの左右側部の所定位置を左右対称に湾曲し、平面視ハ字状の接地部８ｂを曲成した形状である。
【００３４】
また、この支持部８は、前記巻回長尺体１を支承時に、該巻回長尺体１の荷重により撓曲しないように、前記コ字状フレーム部８ａと前記接地部８ｂとの間に、支持棒８ｃを挟設して強度が高められている。
【００３５】
また、この支持部８の前記接地部８ｂの最大接地幅は、倒れ防止の為に前記支承部２の形成幅よりも幅広に構成している。
【００３６】
また、この支持部８は収納や持ち運び時にはコンパクト化が可能な構成である。具体的には前記接地部８ｂが分割可能な構成であり、更に具体的には、この接地部８ｂは、図８に図示するように螺入孔（図示省略）及びこれと連通するナット14を上部に設けた一方の棒筒体に、挿通孔15を設けた他方の棒筒体を嵌挿して、一方の棒筒体に設けた前記ナット14にボルト16を螺入し、このナット14及び螺入孔と連通する前記他方の棒筒体の挿通孔15に挿通し、抜け止め連結されている構成である。
【００３７】
尚、この支持部８は、図９，10に図示するような構成としても良い。具体的には、前記コ字状フレーム部８ａの下端部に棒状の接地部８ｂ’を溶接接合し上端部にコ字状板部17を溶接接合し、このコ字状板部17の左右対向面に上端部が挟設されるように足部８ｄを配し、このコ字状板部17の左右対向面と前記足部８ｄ上端部に六角ボルト18を連通させ、ナイロンナット（図示省略）で該六角ボルト18を抜け止め係止して、この足部８ｄを、前記六角ボルト18を支軸として、前記コ字状フレーム部８ａに対して傾動自在に設け、また、この足部８ｄ及びコ字状フレーム部８ａとを一定の開き角で開傾動係止するチェーン19と、該チェーン19を連繋する連繋具20，21を前記足部８ｄ及び支承部２の所定位置に設けた構成としても良い。
【００３８】
この場合は、収納や持ち運び時には前記足部８ｄを閉傾動させるだけで簡単に支持部８をコンパクト化でき、しかも一層小さくコンパクト化することが可能となる。また、前記チェーン19を、任意の長さで前記連繋具20，21に連繋して、前記支承部２の支承面の傾斜度合いを任意の傾斜度合いに設定できることとなる。
【００３９】
本実施例では、前記スライド筒４の外周に巻き取る前記長尺体１の巻き取り始端を係止する係止部10を前記ハンドル部５に設けて、前記スライド筒４の外周にこのスライド筒４と共に回動するように配設している。
【００４０】
この係止部10を設ける前記ハンドル部５は、具体的に説明すると、図１に図示するように、長板状の基部13の一端に該ハンドル部５を回動操作する棒状の取手部12を形成表面に対して直交方向に突設し、他端近傍位置にして前記取手部12突設面と反対側の面に、端側から順に、棒状の係止部10と、前記軸部３に該軸部３の長さ方向にスライド移動させて嵌脱自在且つ回動自在に嵌挿する筒状の回転軸６と、後述する受け溝９に嵌合する突起部７とを、該基部13の形成表面に対して直交方向に突設している。
【００４１】
また、このハンドル部５は、金属製の部材で構成している。
【００４２】
前記スライド筒４は、プラスチック製の円筒状の部材で構成しており、図１に図示するように一方の開口部から該スライド筒４の長さ方向に前記ハンドル部５に設けた前記突起部７を嵌合する受け溝９を凹設している。
【００４３】
また、このスライド筒４の、巻き取り時における基端側の摩耗を防ぐ為に、該スライド筒４の基端側には、円環状にして該スライド筒４と略同じ径に形成した耐摩耗環11を配設している。
【００４４】
尚、このスライド筒４は、巻き取る長尺体１の本数分用意しておいても良い。この場合は、スライド筒４を巻回長尺体１から取り外さずに、該巻回長尺体１と一緒に縛るなどして保管しておき、該巻回長尺体１を使用する際には、前記スライド筒４と共に前記軸部３に被嵌して前記支承部２に取り付けて、良好に該長尺体１を敷き広げることができる。
【００４５】
また、前記支承部２の前記軸部３に抜け止め機能を設けた構成としても良い。具体的には、略中心位置にして前記軸部３の内側基端から該軸部３の軸芯方向に抜け止め棒22を突設し、この抜け止め棒22が挿通する挿通部23を前記ハンドル部５の前記基部13に穿設し、この抜け止め棒22は、図11に図示するように、使用態様時において前記ハンドル部５の前記挿通部23を挿通して先端が該ハンドル部５から突出するように形成し、この突出箇所には抜け止めピン挿通孔（図示省略）を穿通し、この抜け止めピン挿通孔に抜け止めピン24を挿通し、可撓性を有し前記抜け止め棒22の側面に着脱自在に合致する形状で前記抜け止めピン24の一端寄りに設けられる固定具25によって、該抜け止めピン24を前記抜け止めピン挿通孔に着脱自在に係止固定し、前記ハンドル部５を該抜け止め棒22に対して抜け止めする。
【００４６】
この場合には、前記ハンドル部５及び前記スライド筒４が前記軸部３から不意に嵌脱することを確実に阻止できることとなる。
【００４７】
本実施例は、上述のように構成したから、長尺体１の巻き取り作業を行う際、まず、前記軸部３に前記耐摩耗環11を被嵌し、続いて、この軸部３に前記スライド筒４を前記軸部３の長さ方向にスライド移動させて被嵌し、続いて、前記ハンドル部５の回転軸６を前記軸部３の長さ方向にスライド移動させて該軸部３内側に嵌挿すると共に該ハンドル部５の前記突起部７を前記スライド筒４の受け溝９に挿入し嵌合させて図２に図示する状態を作出し、この状態で巻き取る長尺体１の巻き取り始端を折り曲げて、図４に図示するように、前記ハンドル部５に突設した係止部10に前記折り曲げた始端を引っかけるようにして係止させ、この状態で、前記ハンドル部５の取手部12を手に取って該ハンドル部５を前記軸部３に対して回動操作すると、図４に図示するように、該ハンドル部５の突起部７と前記スライド筒４の受け溝９とが嵌合して回動係止されている為に、前記スライド筒４も前記ハンドル部５と一体回動し、また、前記ハンドル部５と一体回動する前記係止部10に係止された前記長尺体１の巻き取り始端も一体回動するから、図５に図示するように、前記長尺体１を前記スライド筒４の外周に良好に巻き取ることができることとなる。
【００４８】
また、前記支承部２の支承面を、垂直よりも約１５°程傾斜させたことにより、前記長尺体１を巻回する際、該長尺体１がこの支承面に支承されながら巻回される為、この支承面によって前記長尺体１の巻き取り表面のばらつきが抑えられ、図３に図示するように、整った巻き取り表面に巻回されることとなる。
【００４９】
また、図３に図示するように前記長尺体１を完全に巻回し終えたら、前記ハンドル部５を前記軸部３及び前記スライド筒４の長さ方向にスライド移動させ、該ハンドル部５を前記軸部３から嵌脱して前記支承部２から取り外すことができることとなる。
【００５０】
この際、巻回された長尺体１は、巻き取る締め付け力により前記スライド筒４の外周に強く締め付けられた状態となるから、当然前記ハンドル部５の係止部10にも前記巻回長尺体１の巻き取り始端が強く締め付けられ、該ハンドル部５を取り外す際には締め付け力による抵抗が付与されることとなるが、この抵抗は、該ハンドル部５の係止部10と前記長尺体１との僅かな接触面積に付与されるに過ぎないので、前記ハンドル部５は容易に取り外すことができることとなる。
【００５１】
また、前記の通りハンドル部５を前記支承部２から取り外したら、この支承部２の支承面を、図６に図示するように前記支持部８ごと前方に傾動させ、巻回長尺体１と共にスライド筒４を前記軸部３の前方にして鉛直方向に自重によりスライド移動させ、該軸部３から嵌脱させ前記支承部２から取り外すことができ、取り外した該巻回長尺体１は、前記スライド筒４に強く締め付けられているが、前記の通り、予めハンドル部５の係止部10がスライド筒４の外周から抜き取られているので、その分だけ該スライド筒４の外周と前記巻回長尺体１との間に空隙部が生じるので、該スライド筒４を容易に該巻回長尺体１から抜き取って、この巻回長尺体１を適宜紐で縛るなどして収納することができることとなる。
【００５２】
よって、本実施例によれば、前記長尺体１を手動で良好に巻回することができるのはもちろん、巻回し終わった長尺体１は予めハンドル部５を取り外した後、単に前記支承部２を前方に傾動するだけでスライド筒４と共に簡単に支承部２から取り外すことができるので、巻回長尺体１を支承部２から取り外す際に型くずれさせてしてしまうことを確実に阻止でき極めて容易に取り外しでき、取り外した該巻回長尺体１は適宜縛るなどして良好に収納できるなど、効率よく長尺体１の巻き取り作業を行うことができ、よって、作業性に秀れ、実用性に秀れた画期的で商品価値の高いホースなどの長尺もの巻取り装置となる。
【００５３】
しかも、前記長尺体１の巻き取り始端を前記スライド筒４と一体回動させることができ、即ち、前記ハンドル部５を回動操作した際に、該長尺体１と前記スライド筒４を確実に一体回動させることができるので、この長尺体１が回動せずに前記スライド筒４だけが空転してしまうことを確実に阻止することができ、一層良好に前記長尺体を巻き取ることができ、一層作業性に秀れる。
【００５４】
また、巻き取り作業を行うべく前記ハンドル部５の回転軸６を前記軸部３に嵌挿させる際に、同時に該ハンドル部５の突起部７をスライド筒４の受け溝９に挿入して該ハンドル部５とスライド筒４とを回動係止でき、即ち、ハンドル部５を前記支承部２への取り付けと該ハンドル部と前記スライド筒４との回動係止を同時に行えるので、それだけ作業性に秀れる。
【００５５】
また、前記ハンドル部５に設けた取手部12で良好に回動操作を行うことができ、一層作業性に秀れる。
【００５６】
また、前記ハンドル部５とスライド筒４とが係脱自在で、巻回長尺体１を前記支承部12から取り外す際に予め該ハンドル部５を取り外しておけるので、該巻回長尺体１を上述の通り前記スライド筒４と共に前記軸部３の前方にして鉛直方向にスライド移動させて取り外した際、前記ハンドル部５の前記ハンドル部12の突起形状によって、この巻回長尺体12が型くずれすることを阻止できるので、一層良好に前記巻回長尺体１を前記支承部２から取り外すことができ、また、前記巻き取った長尺体１に対して、前記ハンドル部５の係止部10と前記スライド筒４とを、段階的に抜き取っていくので、各個に少ない抵抗で良好に該長尺体１から前記ハンドル部５の係止部10及びスライド筒４を抜き取ることができ、極めて作業性に秀れる。
【００５７】
また、前記支承部２及び前記支持部８がフレーム状の構成なので、それだけ軽量化することができ、しかも、フレーム状なので容易に手で掴んで持ち運ぶことができ、更に、この支持部８はコンパクト化が可能なので、この点においても持ち運びが容易で収納性にも秀れ、それだけ実用性に秀れる。
【００５８】
また、上述のように、単に軸部３を突設した支承部２とこの支承部２を支持する支持部８と前記軸部３に被嵌するスライド筒４及び該スライド筒４を回動するハンドル部５とから成る簡易構成であり、複雑な構成が無いのでそれだけ生産性に秀れ、従って、低価格化が実現できる。
【００５９】
また、簡易構成で手動によって巻き取り作業を行う構成なので、電源の無い場所でも使用することができ、使用者は電源の有無にかかわらず好きな所に持ち運んで良好に巻き取り作業を行うことができ、それだけ利便性に秀れる。
【００６０】
尚、本発明は、実施例に限られるものではなく、各構成要件の具体的構成は適宜設計し得るものである。
【図面の簡単な説明】
【００６１】
【図１】本実施例に係るホースなどの長尺もの巻取り装置の概略説明図である。
【図２】本実施例に係るホースなどの長尺もの巻取り装置の使用態様の概略説明図である。
【図３】本実施例に係るホースなどの長尺もの巻取り装置の巻き取り作業後の概略説明図である。
【図４】本実施例に係るホースなどの長尺もの巻取り装置の巻き取り作業開始時の要部断面図である。
【図５】本実施例に係るホースなどの長尺もの巻取り装置の巻き取り作業開始時の要部斜視断面図である。
【図６】本実施例に係るホースなどの長尺もの巻取り装置の使用態様の概略説明図である。
【図７】本実施例に係るホースなどの長尺もの巻取り装置によって巻き取った巻回長尺体１の概略斜視図である。
【図８】本実施例に係るホースなどの長尺もの巻取り装置の要部概略説明図である。
【図９】本実施例に係るホースなどの長尺もの巻取り装置の支持部８の別例の概略説明図である。
【図１０】本実施例に係るホースなどの長尺もの巻取り装置の支持部８の別例の概略斜視図である。
【図１１】本実施例に係るホースなどの長尺もの巻取り装置の別例の要部概略説明図である。
【符号の説明】
【００６２】
１    長尺体
２    支承部
３    軸部
４    スライド筒
５    ハンドル部
６    回転軸
７    突起部
８    支持部
９    受け溝
10    係止部
12    取手部
【図１】
2005350243.tif 000003
【図２】
2005350243.tif 000004
【図３】
2005350243.tif 000005
【図４】
2005350243.tif 000006
【図５】
2005350243.tif 000007
【図６】
2005350243.tif 000008
【図７】
2005350243.tif 000009
【図８】
2005350243.tif 000010
【図９】
2005350243.tif 000011
【図１０】
2005350243.tif 000012
【図１１】
2005350243.tif 000013